(57)【特許請求の範囲】
【請求項１】
表示面を有し、前記表示面に第１オブジェクトを表示する表示部と、
前記表示面に表示された前記第１オブジェクトが選択されると、選択された前記第１オブジェクトよりも１つ下の階層に位置する第２オブジェクトを取得する第１取得部と、
前記第１取得部が取得した前記第２オブジェクトを含む第１画面を生成する第１画面生成部と、
所定の条件を参照して、前記第１取得部が取得した前記第２オブジェクトの中から、第３オブジェクトを取得する第２取得部と、
前記第３オブジェクトよりも１つ下の階層に位置する第４オブジェクトを取得する第３取得部と、
前記第３取得部が取得した前記第４オブジェクトを含む第２画面を生成する第２画面生成部と
を備え、
前記表示部は、前記表示面に前記第１画面と前記第２画面とを同時に表示し、
前記第１取得部は、前記第２画面に含まれる前記第４オブジェクトが選択されると、選択された前記第４オブジェクトを前記第２オブジェクトとして取得する、表示処理装置。
【請求項２】
表示面を有し、前記表示面に第１オブジェクトを表示する表示部と、
前記表示面に表示された前記第１オブジェクトが選択されると、選択された前記第１オブジェクトよりも１つ下の階層に位置する第２オブジェクトを取得する第１取得部と、
前記第１取得部が取得した前記第２オブジェクトを含む第１画面を生成する第１画面生成部と、
所定の条件を参照して、前記第１取得部が取得した前記第２オブジェクトの中から、第３オブジェクトを取得する第２取得部と、
前記第３オブジェクトよりも１つ下の階層に位置する第４オブジェクトを取得する第３取得部と、
前記第３取得部が取得した前記第４オブジェクトを含む第２画面を生成する第２画面生成部と
を備え、
前記表示部は、前記表示面に前記第１画面と前記第２画面とを同時に表示し、
前記表示部は、前記表示面に表示された前記第１画面及び前記第２画面のうちのいずれか一方が選択されると、選択されなかった前記第２画面又は前記第１画面を前記表示面から消去する、表示処理装置。
【請求項３】
前記表示部は、前記表示面に表示された前記第１画面及び前記第２画面のうちのいずれか一方が選択されると、選択されなかった前記第２画面又は前記第１画面を前記表示面から消去する、請求項１に記載の表示処理装置。
【請求項４】
前記第２オブジェクトは、アクセスされたアクセス日時を示す情報を有し、
前記所定の条件は、前記第２オブジェクトの中から前記アクセス日時が最新である前記第３オブジェクトを取得するという第１条件を含む、請求項１〜請求項３のいずれか１項に記載の表示処理装置。
【請求項５】
前記第２オブジェクトは、所定の期間内にアクセスされたアクセス回数を示す情報を有し、
前記所定の条件は、前記第２オブジェクトの中から前記アクセス回数が最も多い前記第３オブジェクトを取得するという第２条件を含む、請求項１〜請求項３のいずれか１項に記載の表示処理装置。
【請求項６】
前記所定の条件を入力する入力部を更に備え、
前記第２オブジェクトは、アクセスされたアクセス日時を示す情報と、所定の期間内にアクセスされたアクセス回数を示す情報とを有し、
前記所定の条件は、第１条件及び第２条件を含み、
前記第１条件は、前記第２オブジェクトの中から前記アクセス日時が最新である前記第３オブジェクトを取得するという条件であり、
前記第２条件は、前記第２オブジェクトの中から前記アクセス回数が最も多い前記第３オブジェクトを取得するという条件であり、
前記入力部は、前記第１条件及び前記第２条件のいずれか１つの条件を入力する、請求項１〜請求項３のいずれか１項に記載の表示処理装置。
【請求項７】
前記第１画面は、前記第２オブジェクトをリスト形式で表示し、前記第２画面は、前記第４オブジェクトをリスト形式で表示する、請求項１〜請求項６のいずれか１項に記載の表示処理装置。
【請求項８】
請求項１〜請求項７のいずれか１項に記載の表示処理装置を備える画像形成装置。
【発明の詳細な説明】
【技術分野】
【０００１】
本発明は、表示処理装置、及び画像形成装置に関する。
【背景技術】
【０００２】
タッチパネルのような表示処理装置は、アイコン、フォルダ、及びファイルなどのオブジェクトを階層化して表示する。具体的には、表示処理装置は、あるオブジェクトが選択されると、そのオブジェクトの１つ下の階層に存在するオブジェクトのみを表示する（例えば、特許文献１参照）。
【先行技術文献】
【特許文献】
【０００３】
【特許文献１】特開２００４−２８９６９１号公報
【発明の概要】
【発明が解決しようとする課題】
【０００４】
しかしながら、一般的な表示処理装置において、ユーザーは下位の階層に位置するオブジェクトを選択するために、オブジェクトを選択する操作を繰り返さなければならなかった。この結果、ユーザーの作業効率が低下する虞があった。
【０００５】
本発明は上記課題に鑑み、ユーザーの作業効率を向上させる表示処理装置、及び画像形成装置を提供することを目的とする。
【課題を解決するための手段】
【０００６】
本発明の表示処理装置は、表示部と、第１取得部と、第１画面生成部と、第２取得部と、第３取得部と、第２画面生成部とを備える。前記表示部は、表示面を有し、前記表示面に第１オブジェクトを表示する。前記第１取得部は、前記表示面に表示された前記第１オブジェクトが選択されると、選択された前記第１オブジェクトよりも１つ下の階層に位置する第２オブジェクトを取得する。前記第１画面生成部は、前記第１取得部が取得した前記第２オブジェクトを含む第１画面を生成する。前記第２取得部は、所定の条件を参照して、前記第１取得部が取得した前記第２オブジェクトの中から、第３オブジェクトを取得する。前記第３取得部は、前記第３オブジェクトよりも１つ下の階層に位置する第４オブジェクトを取得する。前記第２画面生成部は、前記第３取得部が取得した前記第４オブジェクトを含む第２画面を生成する。前記表示部は、前記表示面に前記第１画面と前記第２画面とを同時に表示する。
【０００７】
本発明の画像形成装置は、上記に記載の表示処理装置を備える。
【発明の効果】
【０００８】
本発明によれば、ユーザーの作業効率を向上させることができる。
【図面の簡単な説明】
【０００９】
【図１】本発明の実施形態に係る表示処理装置の構成を示す図である。
【図２】本発明の実施形態に係る表示処理装置の構成を示すブロック図である。
【図３】本発明の実施形態に係る表示処理装置の動作を示すフローチャートである。
【図４】本発明の実施形態に係る表示処理装置の動作を示すフローチャートである。
【図５】本発明の実施形態に係る表示処理装置の動作を示すフローチャートである。
【図６】本発明の実施形態に係るオブジェクトのツリー構造を示す図である。
【図７】本発明の実施形態に係るタッチパネルが表示する通常画面の一例を示す図である。
【図８】本発明の実施形態に係る第１条件が設定された場合にタッチパネルが表示する画面の一例を示す図である。
【図９】図８に示す第１画面に含まれるオブジェクトが選択された場合にタッチパネルが表示する画面の一例を示す図である。
【図１０】図９に示す第１画面に含まれるオブジェクトが選択された場合にタッチパネルが表示する画面の一例を示す図である。
【図１１】図９に示す第１画面に含まれるオブジェクトが選択された場合にタッチパネルが表示する画面の他例を示す図である。
【図１２】本発明の実施形態に係る第２条件が設定された場合にタッチパネルが表示する画面の一例を示す図である。
【図１３】図１２に示す第１画面に含まれるオブジェクトが選択された場合にタッチパネルが表示する画面の一例を示す図である。
【図１４】本発明の実施形態に係る第１画面が選択された後にタッチパネルが表示する画面を示す図である。
【発明を実施するための形態】
【００１０】
以下、図面を参照して本発明の実施形態に係る表示処理装置、及び画像形成装置について説明する。なお、図中、同一又は相当部分については同一の参照符号を付して説明を繰り返さない。
【００１１】
まず、図１を参照して、表示処理装置１の構成について説明する。図１は、表示処理装置１の構成を示す図である。表示処理装置１は、例えば、複合機のような画像形成装置が備える表示処理装置である。
【００１２】
図１に示すように、表示処理装置１は、操作部２を備える。操作部２は、表示処理装置１に対するユーザーからの指示を受け付ける。操作部２は、タッチパネル２１及び操作ボタン２２を含む。
【００１３】
タッチパネル２１は、入力部及び表示部の一例である。タッチパネル２１は、表示面Ｄ及びタッチ面を有する。タッチ面は、表示面Ｄの上方に配置される。図１では、理解を容易にするために、タッチ面は図示していない。表示面Ｄは、オブジェクト１０を表示する。オブジェクト１０は、例えば、アイコンオブジェクト、フォルダオブジェクト、及びファイルオブジェクトを含む。以下、「アイコンオブジェクト」を「アイコン」と記載し、「フォルダオブジェクト」を「フォルダ」と記載し、「ファイルオブジェクト」を「ファイル」と記載する。ユーザーは、タッチ面をタッチすることによって、表示面Ｄに表示されたオブジェクト１０を選択することができる。
【００１４】
操作ボタン２２は、例えば、ホームキーである。タッチパネル２１は、ホームキーが押下されると、表示面Ｄに初期画面（以下、通常画面と記載する。）を表示する。
【００１５】
続いて、図１及び図２を参照して表示処理装置１の構成について詳細に説明する。図２は、表示処理装置１の構成を示すブロック図である。
【００１６】
図２に示すように表示処理装置１は、記憶部３及び制御部５を更に備える。
【００１７】
記憶部３は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）等によって構成される。記憶部３は、制御プログラムＰＧ、及びオブジェクト１０を記憶する。オブジェクト１０は、そのオブジェクト１０の最新のアクセス日時を示す情報、及びそのオブジェクト１０が所定の期間にアクセスされた回数を示す情報を有する。所定の期間は、例えば、１週間である。以下、所定の期間にアクセスされた回数を「アクセス回数」と記載する。また、オブジェクト１０は、そのオブジェクト１０の１つ下の階層に位置するオブジェクト１０を示す情報（下位情報）を有する。オブジェクト１０は、通常画面に表示される第１オブジェクトを含む。
【００１８】
制御部５は、ＣＰＵ（Ｃｅｎｔｒａｌ  Ｐｒｏｃｅｓｓｉｎｇ  Ｕｎｉｔ）のような制御機器によって構成される。制御部５は、記憶部３に記憶された制御プログラムＰＧを実行することによって、表示処理装置１の各部の動作を制御する。
【００１９】
また、制御部５は、制御プログラムＰＧを実行することによって、第１取得部５１、第２取得部５２、第３取得部５３、第１画面生成部５５、及び第２画面生成部５６として機能する。
【００２０】
第１取得部５１は、表示面Ｄに表示された第１オブジェクトが選択されると、選択された第１オブジェクトが有する下位情報を参照して、第２オブジェクトを取得する。第２オブジェクトは、選択された第１オブジェクトよりも１つ下の階層に位置するオブジェクト１０である。
【００２１】
第２取得部５２は、表示面Ｄに表示された第１オブジェクトが選択されると、所定の条件を参照して、第１取得部５１が取得した第２オブジェクトの中から、第３オブジェクトを取得する。本実施形態において、所定の条件は、操作部２を介してユーザーによって設定される。
【００２２】
第３取得部５３は、第３オブジェクトが有する下位情報を参照して第４オブジェクトを取得する。第４オブジェクトは、第３オブジェクトよりも１つ下の階層に位置するオブジェクト１０である。
【００２３】
第１画面生成部５５は、第１取得部５１が取得した第２オブジェクトを含む第１画面を生成する。第１画面は、表示面Ｄに表示される。第１画面は、第２オブジェクトをリスト形式で表示する。
【００２４】
第２画面生成部５６は、第３取得部５３が取得した第４オブジェクトを含む第２画面を生成する。第２画面は、表示面Ｄに表示される。第２画面は、第４オブジェクトをリスト形式で表示する。第１画面及び第２画面は、同時に表示される。
【００２５】
タッチパネル２１は、第１画面及び第２画面のうちのいずれか一方が選択されると、選択されなかった第２画面又は第１画面を表示面Ｄから消去する。
【００２６】
第１取得部５１は、第１画面に含まれる第２オブジェクトが選択されると、選択された第２オブジェクトの１つ下の階層に位置するオブジェクト１０を新たな第２オブジェクトとして取得する。その結果、第１画面生成部５５は、第１取得部５１によって取得された新たな第２オブジェクトを含む第１画面を生成する。第２取得部５２は、新たに取得された第２オブジェクトの中から、所定の条件を参照して、新たな第３オブジェクトを取得する。その結果、第３取得部５３は、新たな第３オブジェクトの１つ下の階層に位置するオブジェクト１０を第４オブジェクトとして取得する。第２画面生成部５６は、第３取得部５３によって取得された新たな第４オブジェクトを含む第２画面を生成する。よって、第１画面に含まれる第２オブジェクトが選択されると、第１画面及び第２画面に表示される内容が変化する。
【００２７】
また、第１取得部５１は、第２画面に含まれる第４オブジェクトが選択されると、選択された第４オブジェクトを新たな第２オブジェクトとして取得する。その結果、第１画面生成部５５は、第１取得部５１によって取得された新たな第２オブジェクトを含む第１画面を生成する。第２取得部５２は、新たに取得された第２オブジェクトの中から、所定の条件を参照して、新たな第３オブジェクトを取得する。その結果、第３取得部５３は、新たな第３オブジェクトの１つ下の階層に位置するオブジェクト１０を第４オブジェクトとして取得する。第２画面生成部５６は、第３取得部５３によって取得された新たな第４オブジェクトを含む第２画面を生成する。よって、第２画面に含まれる第４オブジェクトが選択されると、第１画面及び第２画面に表示される内容が変化する。
【００２８】
続いて、図３〜図５を参照して、表示処理装置１の動作について説明する。図３〜図５は、表示処理装置１の動作を示すフローチャートである。
【００２９】
図３に示すように、ユーザーが操作部２を操作することによって、所定の条件が入力される（ステップＳ１０２）。次いで、タッチパネル２１は、表示面Ｄに第１オブジェクトを表示する（ステップＳ１０４）。第１取得部５１は、表示面Ｄに表示された第１オブジェクトが選択されると、第２オブジェクトを取得する（ステップＳ１０６）。次いで、第１画面生成部５５は、第２オブジェクトを含む第１画面を生成する（ステップＳ１０８）。次いで、第２取得部５２は、所定の条件を参照して、第３オブジェクトを取得する（ステップＳ１１０）。次いで、第３取得部５３は、第４オブジェクトを取得し（ステップＳ１１２）、第２画面生成部５６が第４オブジェクトを含む第２画面を生成する（ステップＳ１１４）。タッチパネル２１は、表示面Ｄに第１画面及び第２画面を表示する（ステップＳ１１６）。なお、ステップＳ１０６〜ステップＳ１１４の各処理が実行される順序は、図３に示す順序に限定されない（順不同である）。例えば、ステップＳ１０６の処理の次にステップＳ１１０の処理が実行されてもよい。
【００３０】
表示面Ｄに第１画面及び第２画面が表示された後に、図４に示すように、第１画面に含まれる第２オブジェクトが選択されると（ステップＳ２０２）、第１取得部５１は、第２オブジェクトを取得する（ステップＳ２０４）。詳しくは、第１取得部５１は、第１画面に含まれる第２オブジェクトが選択されると、選択された第２オブジェクトの１つ下の階層に位置するオブジェクト１０を新たな第２オブジェクトとして取得する。以降、図３を参照して説明したステップＳ１０８〜ステップＳ１１６と同様に処理が実行される。
【００３１】
また、表示面Ｄに第１画面及び第２画面が表示された後に、図５に示すように、第２画面に含まれる第４オブジェクトが選択されると（ステップＳ３０２）、第１取得部５１は、選択された第４オブジェクトを新たな第２オブジェクトとして取得する（ステップＳ３０４）。以降、図３を参照して説明したステップＳ１０８〜ステップＳ１１６と同様に処理が実行される。
【００３２】
続いて、図６を参照して、オブジェクト１０のツリー構造１００について説明する。図６は、オブジェクト１０のツリー構造１００を示す図である。
【００３３】
図６に示す例では、ツリー構造１００は、第１階層Ｌ１、第２階層Ｌ２、第３階層Ｌ３、及び第４階層Ｌ４を有する。第１階層Ｌ１には、アイコン「Ａ」１１１、アイコン「Ｂ」１１２、及びアイコン「Ｃ」１１３が存在する。第１階層Ｌ１に存在するアイコン「Ａ」１１１、アイコン「Ｂ」１１２、及びアイコン「Ｃ」１１３は、通常画面に含まれる。
【００３４】
アイコン「Ａ」１１１の１つ下の階層（第２階層Ｌ２）には、フォルダ「Ｆｏ＿Ａ」１２１、フォルダ「Ｆｏ＿Ｂ」１２２、フォルダ「Ｆｏ＿Ｃ」１２３、及びファイル「Ｄｏ＿Ａ」１２４が存在する。本実施形態において、アイコン「Ａ」１１１の１つ下の階層に含まれるオブジェクト１０のうち、アクセス日時が最新であるオブジェクト１０は、フォルダ「Ｆｏ＿Ａ」１２１である。また、アイコン「Ａ」１１１の１つ下の階層に含まれるオブジェクト１０のうち、アクセス回数が最も多いオブジェクト１０は、フォルダ「Ｆｏ＿Ｂ」１２２である。
【００３５】
フォルダ「Ｆｏ＿Ａ」１２１の１つ下の階層（第３階層Ｌ３）には、フォルダ「Ｆｏ＿Ｅ」１３１、フォルダ「Ｆｏ＿Ｆ」１３２、及びファイル「Ｄｏ＿Ｃ」１３３が存在する。フォルダ「Ｆｏ＿Ａ」１２１の１つ下の階層に含まれるオブジェクト１０のうち、アクセス回数が最も多いオブジェクト１０は、フォルダ「Ｆｏ＿Ｅ」１３１である。
【００３６】
フォルダ「Ｆｏ＿Ｅ」１３１の１つ下の階層（第４階層Ｌ４）には、ファイル「Ｄｏ＿Ｆ」１４１、及びファイル「Ｄｏ＿Ｇ」１４２が存在する。
【００３７】
フォルダ「Ｆｏ＿Ｂ」１２２の１つ下の階層（第３階層Ｌ３）には、フォルダ「Ｆｏ＿Ｇ」１３４、フォルダ「Ｆｏ＿Ｈ」１３５、フォルダ「Ｆｏ＿Ｊ」１３６、ファイル「Ｄｏ＿Ｄ」１３７、及びファイル「Ｄｏ＿Ｅ」１３８が存在する。フォルダ「Ｆｏ＿Ｂ」１２２の１つ下の階層に存在するオブジェクト１０のうち、アクセス日時が最新のオブジェクト１０は、フォルダ「Ｆｏ＿Ｇ」１３４である。
【００３８】
フォルダ「Ｆｏ＿Ｇ」１３４の１つ下の階層（第４階層Ｌ４）には、ファイル「Ｄｏ＿Ｈ」１４３、及びファイル「Ｄｏ＿Ｊ」１４４が存在する。
【００３９】
フォルダ「Ｆｏ＿Ｈ」１３５の１つ下の階層（第４階層Ｌ４）には、ファイル「Ｄｏ＿Ｋ」１４５が存在する。
【００４０】
フォルダ「Ｆｏ＿Ｊ」１３６の１つ下の階層（第４階層Ｌ４）には、フォルダ「Ｆｏ＿Ｌ」１４６が存在する。フォルダ「Ｆｏ＿Ｌ」１４６の１つ下の階層には、オブジェクト１０は存在しない。
【００４１】
続いて、図２〜図１３を参照して、タッチパネル２１が表示する画面について説明する。図７は、通常画面の一例を示す図である。
【００４２】
図７に示すように、タッチパネル２１は、通常画面ＤＨを表示する。通常画面ＤＨは、アイコン「Ａ」１１１、アイコン「Ｂ」１１２、及びアイコン「Ｃ」１１３を含む。アイコン「Ａ」１１１、アイコン「Ｂ」１１２、及びアイコン「Ｃ」１１３は、第１オブジェクト１０１である。
【００４３】
図８は、第１条件が設定された場合にタッチパネル２１が表示する画面の一例を示す図である。図９は、図８に示す第１画面Ｄ１に含まれるオブジェクト１０が選択された場合にタッチパネル２１が表示する画面を示す図である。図１０は、図９に示す第１画面Ｄ１に含まれるオブジェクト１０が選択された場合にタッチパネル２１が表示する画面の一例を示す図である。図１１は、図９に示す第１画面Ｄ１に含まれるオブジェクト１０が選択された場合にタッチパネル２１が表示する画面の他例を示す図である。本実施形態において、第１条件は、第２オブジェクト１０２の中から、アクセス日時が最新である第３オブジェクトを取得するという条件である。第２取得部５２は、第１条件を参照して、第３オブジェクトを取得する。
【００４４】
詳しくは、図６を参照して説明したアイコン「Ａ」１１１が選択されると、第１取得部５１は、アイコン「Ａ」１１１の１つ下の階層に位置するフォルダ「Ｆｏ＿Ａ」１２１、フォルダ「Ｆｏ＿Ｂ」１２２、フォルダ「Ｆｏ＿Ｃ」１２３、及びファイル「Ｄｏ＿Ａ」１２４を第２オブジェクト１０２として取得する。第１画面生成部５５は、第１取得部５１が取得した第２オブジェクト１０２を含む第１画面Ｄ１を生成する。また、アイコン「Ａ」１１１が選択されると、第２取得部５２は、第１取得部５１が取得した第２オブジェクト１０２の中からアクセス日時が最新である第２オブジェクト１０２を第３オブジェクトとして取得する。本実施形態において、アクセス日時が最新である第２オブジェクト１０２は、フォルダ「Ｆｏ＿Ａ」１２１である。したがって、第３取得部５３は、フォルダ「Ｆｏ＿Ａ」１２１の１つ下の階層に位置するフォルダ「Ｆｏ＿Ｅ」１３１、フォルダ「Ｆｏ＿Ｆ」１３２、及びファイル「Ｄｏ＿Ｃ」１３３を第４オブジェクト１０４として取得する。第２画面生成部５６は、第３取得部５３が取得した第４オブジェクト１０４を含む第２画面Ｄ２を生成する。
【００４５】
第１画面Ｄ１及び第２画面Ｄ２が生成されると、図８に示すように、タッチパネル２１は、第１画面Ｄ１及び第２画面Ｄ２を同時に表示する。第１画面Ｄ１は、フォルダ「Ｆｏ＿Ａ」１２１、フォルダ「Ｆｏ＿Ｂ」１２２、フォルダ「Ｆｏ＿Ｃ」１２３、及びファイル「Ｄｏ＿Ａ」１２４を含む画面である。また、所定の条件として第１条件が設定された場合、第２画面Ｄ２は、フォルダ「Ｆｏ＿Ｅ」１３１、フォルダ「Ｆｏ＿Ｆ」１３２、及びファイル「Ｄｏ＿Ｃ」１３３を含む画面となる。
【００４６】
図８に示す第１画面Ｄ１に含まれる第２オブジェクト１０２が選択されると、第１画面Ｄ１及び第２画面Ｄ２に表示される内容が変化する。例えば、フォルダ「Ｆｏ＿Ｂ」１２２が選択されると、図９に示すように第１画面Ｄ１には、新たな第２オブジェクト１０２が表示される。本実施形態において、新たな第２オブジェクト１０２は、選択されたフォルダ「Ｆｏ＿Ｂ」１２２の１つ下の階層に位置するフォルダ「Ｆｏ＿Ｇ」１３４、フォルダ「Ｆｏ＿Ｈ」１３５、フォルダ「Ｆｏ＿Ｊ」１３６、ファイル「Ｄｏ＿Ｄ」１３７及びファイル「Ｄｏ＿Ｅ」１３８を含む。
【００４７】
第２取得部５２は、新たな第２オブジェクト１０２のうち、アクセス日時が最新である第２オブジェクト１０２を第３オブジェクトとして取得する。本実施形態において、アクセス日時が最新である第２オブジェクト１０２は、フォルダ「Ｆｏ＿Ｇ」１３４である。したがって、第２画面Ｄ２には、フォルダ「Ｆｏ＿Ｇ」１３４の１つ下の階層に位置するオブジェクト１０が新たな第４オブジェクト１０４として表示される。具体的には、ファイル「Ｄｏ＿Ｈ」１４３及びファイル「Ｄｏ＿Ｊ」１４４が第２画面Ｄ２に表示される。
【００４８】
以上のように、所定の条件として第１条件が設定された場合、第２画面Ｄ２には、第１画面Ｄ１に表示されている第２オブジェクト１０２のうち、アクセス日時が最新である第２オブジェクト１０２（第３オブジェクト）の１つ下の階層に位置する第４オブジェクト１０４が表示される。
【００４９】
なお、図９に示す第１画面Ｄ１において、フォルダ「Ｆｏ＿Ｈ」１３５が選択された場合、第１取得部５１は、選択されたフォルダ「Ｆｏ＿Ｈ」１３５の１つ下の階層に位置するファイル「Ｄｏ＿Ｋ」１４５を第２オブジェクト１０２として取得する。フォルダ「Ｆｏ＿Ｈ」１３５の１つ下の階層には、フォルダ（１つ下の階層にオブジェクト１０を有するオブジェクト１０）が存在しない。したがって、図１０に示すように、タッチパネル２１は、第１取得部５１が取得したファイル「Ｄｏ＿Ｋ」１４５（第２オブジェクト１０２）を含む第１画面Ｄ１のみを表示する。
【００５０】
また、図９に示す第１画面Ｄ１において、フォルダ「Ｆｏ＿Ｊ」１３６が選択された場合、第１取得部５１は、選択されたフォルダ「Ｆｏ＿Ｊ」１３６の１つ下の階層に位置するフォルダ「Ｆｏ＿Ｌ」１４６を第２オブジェクト１０２として取得する。フォルダ「Ｆｏ＿Ｌ」１４６の１つ下の階層にはオブジェクト１０が存在しない。したがって、図１１に示すように、タッチパネル２１は、第１取得部５１が取得したフォルダ「Ｆｏ＿Ｌ」１４６（第２オブジェクト１０２）を含む第１画面Ｄ１のみを表示する。
【００５１】
次に、図２〜図７、図１２、及び図１３を参照して、第２条件が設定された場合にタッチパネル２１が表示する画面について説明する。図１２は、第２条件が設定された場合にタッチパネル２１が表示する画面の一例を示す図である。図１３は、図１２に示す第１画面Ｄ１に含まれるオブジェクト１０が選択された場合にタッチパネル２１が表示する画面の一例を示す図である。本実施形態において、第２条件は、第２オブジェクト１０２の中から、アクセス回数が最も多い第３オブジェクトを取得するという条件である。第２取得部５２は、第２条件を参照して、第３オブジェクトを取得する。
【００５２】
詳しくは、図６を参照して説明したアイコン「Ａ」１１１が選択されると、第２取得部５２は、第１取得部５１が取得した第２オブジェクト１０２の中からアクセス回数が最も多い第２オブジェクト１０２を第３オブジェクトとして取得する。本実施形態において、アクセス回数が最も多い第２オブジェクト１０２は、フォルダ「Ｆｏ＿Ｂ」１２２である。このため、第２取得部５２は、フォルダ「Ｆｏｌ＿Ｂ」１２２を第３オブジェクトとして取得する。第３取得部５３は、フォルダ「Ｆｏｌ＿Ｂ」１２２の１つ下の階層に位置するフォルダ「Ｆｏ＿Ｇ」１３４、フォルダ「Ｆｏ＿Ｈ」１３５、フォルダ「Ｆｏ＿Ｊ」１３６、ファイル「Ｄｏ＿Ｄ」１３７、及びファイル「Ｄｏ＿Ｅ」１３８を第４オブジェクト１０４として取得する。第２画面生成部５６は、第３取得部５３が取得した第４オブジェクト１０４を含む第２画面Ｄ２を生成する。
【００５３】
第１画面Ｄ１及び第２画面Ｄ２が生成されると、図１２に示すように、タッチパネル２１は第１画面Ｄ１及び第２画面Ｄ２を同時に表示する。所定の条件として第２条件が設定された場合、第２画面Ｄ２は、フォルダ「Ｆｏ＿Ｇ」１３４、フォルダ「Ｆｏ＿Ｈ」１３５、フォルダ「Ｆｏ＿Ｊ」１３６、ファイル「Ｄｏ＿Ｄ」１３７、及びファイル「Ｄｏ＿Ｅ」１３８を含む画面となる。
【００５４】
図１２に示す第１画面Ｄ１に含まれる第２オブジェクト１０２が選択されると、第１画面Ｄ１及び第２画面Ｄ２に表示される内容が変化する。例えば、フォルダ「Ｆｏ＿Ａ」１２１が選択されると、図１３に示すように第１画面Ｄ１には、新たな第２オブジェクト１０２が表示される。本実施形態において、新たな第２オブジェクト１０２は、選択されたフォルダ「Ｆｏ＿Ａ」１２１の１つ下の階層に位置するフォルダ「Ｆｏ＿Ｅ」１３１、フォルダ「Ｆｏ＿Ｆ」１３２、及びファイル「Ｄｏ＿Ｃ」１３３を含む。
【００５５】
第２取得部５２は、新たな第２オブジェクト１０２のうち、アクセス回数が最も多い第２オブジェクト１０２を第３オブジェクトとして取得する。本実施形態において、アクセス回数が最も多い第２オブジェクト１０２は、フォルダ「Ｆｏ＿Ｅ」１３１である。したがって、第２画面Ｄ２には、フォルダ「Ｆｏ＿Ｅ」１３１の１つ下の階層に位置するオブジェクト１０が新たな第４オブジェクト１０４として表示される。具体的には、ファイル「Ｄｏ＿Ｆ」１４１、及びファイル「Ｄｏ＿Ｇ」１４２が第２画面Ｄ２に表示される。
【００５６】
以上のように、所定の条件として第２条件が設定された場合、第２画面Ｄ２には、第１画面Ｄ１に表示されている第２オブジェクト１０２のうち、アクセス回数が最も多い第２オブジェクト１０２の１つ下の階層に位置する第４オブジェクト１０４が表示される。
【００５７】
図１４は、図１３に示す第１画面Ｄ１が選択された後にタッチパネル２１に表示される画面を示す図である。表示面Ｄに表示されている第１画面Ｄ１の一部をユーザーがタッチすると、図１４に示すように、第２画面Ｄ２は、表示面Ｄから消去される。なお、第２画面Ｄ２の一部がタッチされた場合、第１画面Ｄ１が表示面Ｄから消去される。
【００５８】
以上、本実施形態について説明した。本実施形態によれば、タッチパネル２１は、第１オブジェクト１０１が選択されると、第１画面Ｄ１と第２画面Ｄ２と同時に表示する。第１画面Ｄ１は、第２オブジェクト１０２を含む画面である。第２画面Ｄ２は、第４オブジェクト１０４を含む画面である。第２オブジェクト１０２は、第１オブジェクト１０１よりも１つ下の階層に位置する。第４オブジェクト１０４は、第２取得部５２によって取得された第３オブジェクトよりも１つ下の階層に位置する。第３オブジェクトは、第１取得部５１が取得した第２オブジェクト１０２のうち、所定の条件を満たすオブジェクト１０である。したがって、ユーザーは、オブジェクト１０の選択の操作を繰り返すことなく、下位の階層に位置するオブジェクト１０を選択することができる。この結果、ユーザーの作業効率の低下を抑制することができる。
【００５９】
一般的に、ユーザーは、前回参照したオブジェクト１０を続けて参照することが多い。本実施形態では、オブジェクト１０は、アクセス日時を示す情報を有する。所定の条件として第１条件が設定された場合、第２取得部５２は、第１画面Ｄ１に表示された第２オブジェクト１０２の中から、最新のアクセス日時の情報を有する第２オブジェクト１０２を第３オブジェクトとして取得する。この結果、第２画面Ｄ２に含まれるオブジェクト１０は、アクセス日時が最新の第２オブジェクト１０２（第３オブジェクト）の１つ下の階層に位置するオブジェクト１０となる。したがって、ユーザーの利便性が向上する。
【００６０】
また、ユーザーは、アクセス回数の多いオブジェクト１０を参照することが多い。本実施形態では、オブジェクト１０は、アクセス回数を示す情報を有する。所定の条件として第２条件が設定された場合、第２取得部５２は、第１画面Ｄ１に表示された第２オブジェクト１０２の中から、アクセス回数が最も多い第２オブジェクト１０２を第３オブジェクトとして取得する。この結果、第２画面Ｄ２に含まれるオブジェクト１０は、アクセス回数が最も多い第２オブジェクト１０２（第３オブジェクト）の１つ下の階層に位置するオブジェクト１０となる。したがって、ユーザーの利便性が向上する。
【００６１】
また、本実施形態によれば、ユーザーは、所定の条件として、第１条件、及び第２条件のいずれか１つの条件を設定することができる。これにより、ユーザーは、第２画面Ｄ２をカスタマイズすることができる。この結果、ユーザーの利便性が向上する。
【００６２】
なお、本実施形態において、表示処理装置１は、表示処理装置１が備える記憶部３に記憶されたオブジェクト１０を表示したが、本発明はこれに限定されない。例えば、表示処理装置１は、外部の記憶部に記憶されたオブジェクトを表示し得る。
【００６３】
また、本実施形態において、表示処理装置１は、第１画面Ｄ１又は第２画面Ｄ２の一部がタッチされると、タッチされなかった第２画面Ｄ２又は第１画面Ｄ１を表示面Ｄから消去したが、本発明はこれに限定されない。例えば、タッチパネル２１は、第１画面Ｄ１及び第２画面Ｄ２を表示してから所定時間（例えば、１分間）が経過するまでの間にユーザーによってタッチ面がタッチされない場合に、第２画面Ｄ２を表示面Ｄから消去してもよい。この場合、より下位の階層に位置するオブジェクト１０を含む画面が優先して消去される。この結果、ユーザーは、画面を閉じる必要がなくなり、利便性が向上する。
【００６４】
以上、本発明の実施形態について、図面（図１〜図１４）を参照しながら説明した。但し、本発明は、上記の実施形態に限られるものではなく、その要旨を逸脱しない範囲で種々の態様において実施することが可能である。
【００６５】
例えば、本発明の実施形態では、画像形成装置が備える表示処理装置１を例に説明したが、本発明は画像形成装置が備える表示処理装置にのみ適用されるものではない。例えば、本発明は、携帯端末のような電子機器が備える表示処理装置にも適用可能である。
【産業上の利用可能性】
【００６６】
本発明は、電子機器に有用である。
【符号の説明】
【００６７】
１      表示処理装置
２      表示部
５１    第１取得部
５２    第２取得部
５３    第３取得部
５５    第１画面生成部
５６    第２画面生成部
【図１】
0006406269.tif 000002
【図２】
0006406269.tif 000003
【図３】
0006406269.tif 000004
【図４】
0006406269.tif 000005
【図５】
0006406269.tif 000006
【図６】
0006406269.tif 000007
【図７】
0006406269.tif 000008
【図８】
0006406269.tif 000009
【図９】
0006406269.tif 000010
【図１０】
0006406269.tif 000011
【図１１】
0006406269.tif 000012
【図１２】
0006406269.tif 000013
【図１３】
0006406269.tif 000014
【図１４】
0006406269.tif 000015